(57)【要約】      （修正有）【課題】マルチメディア再生システムのクラスター化機能選択を迅速に起動する方法を提供する。【解決手段】主に数個のショートカットキー及びマルチメディア再生装置を接続するコンピュータ中において、装置起動クラスター表により、各接続するマルチメディア再生装置の機能属性に基づき該各ショートカットキーが対応するマルチメディア再生装置の駆動プログラム、マルチメディア再生装置のアプリケーションプログラム、マルチメディア再生装置を定義する。該クラスター化機能選択を迅速に起動する時には、任意のショートカットキーが操作されると、該操作されたショートカットキーが対応するマルチメディア再生装置は作動し、操作されていないショートカットキーが対応する他のマルチメディア再生装置は作動しない。【選択図】        図１
2007035013.tif 000002
【特許請求の範囲】
【請求項１】
主にコンピュータ中にデータ保存メディア、システムメモリ、BIOS、複数のショートカットキー、複数のマルチメディア再生装置を接続し、
該データ保存メディア中にはOS、該複数のマルチメディア再生装置の駆動プログラム、複数のマルチメディア再生装置のアプリケーションプログラム、装置起動クラスター表を保存し、
該装置起動クラスター表中には該各マルチメディア再生装置の機能属性に応じて各ショートカットキーが対応するマルチメディア再生装置の駆動プログラム、マルチメディア再生装置のアプリケーションプログラム、マルチメディア再生装置を定義し、
本発明の方法は以下のステップを包含し、
(a)操作された各ショートカットキーの状態を探知し、
(b)任意のショートカットキーが操作されたことを探知すると、該コンピュータは該装置起動クラスター表中に予め定義される装置クラスターの指示に基づき、該操作されたショートカットキーが対応するマルチメディア再生装置の駆動プログラムをインストール及び執行し、
(c)該操作されたショートカットキーが対応するマルチメディア再生装置のアプリケーションプログラムをインストール及び執行し、
(d)該操作されたショートカットキーが対応するマルチメディア再生装置を作動し、該操作されていないショートカットキーが対応する他のマルチメディア再生装置は作動しないことを特徴とするマルチメディア再生システムのクラスター化機能選択を迅速に起動する方法。
【請求項２】
請求項１記載のマルチメディア再生システムのクラスター化機能選択を迅速に起動する方法において、ショートカットキーは音楽光ディスク読取り装置起動のショートカットキーを包含し、該ショートカットキーは該装置起動クラスター表中に予め定義される装置クラスター指示において、該コンピュータの音楽光ディスク読取り装置及び音声効果装置に接続する指示を包含することを特徴とするマルチメディア再生システムのクラスター化機能選択を迅速に起動する方法。
【請求項３】
請求項１記載のマルチメディア再生システムのクラスター化機能選択を迅速に起動する方法において、ショートカットキーはデジタル音楽読取り装置起動のショートカットキーを包含し、該ショートカットキーは該装置起動クラスター表中に予め定義される装置クラスター指示において、該コンピュータのデジタル音楽読取り装置及び音声効果装置に接続する指示を包含することを特徴とするマルチメディア再生システムのクラスター化機能選択を迅速に起動する方法。
【請求項４】
請求項１記載のマルチメディア再生システムのクラスター化機能選択を迅速に起動する方法において、ショートカットキーはAV光ディスク読取り装置起動のショートカットキーを包含し、該ショートカットキーは該装置起動クラスター表中に予め定義される装置クラスター指示において、該コンピュータのAV光ディスク読取り装置、音声効果装置、ディスクプレーに接続する指示を包含することを特徴とするマルチメディア再生システムのクラスター化機能選択を迅速に起動する方法。
【請求項５】
請求項１記載のマルチメディア再生システムのクラスター化機能選択を迅速に起動する方法において、ショートカットキーはテレビ信号受信装置起動のショートカットキーを包含し、該ショートカットキーは該装置起動クラスター表中に予め定義される装置クラスター指示において、該コンピュータのテレビ信号受信装置、音声効果装置、ディスクプレー、テレビチューナーに接続する指示を包含することを特徴とするマルチメディア再生システムのクラスター化機能選択を迅速に起動する方法。
【請求項６】
主にコンピュータ中にはデータ保存メディア、システムメモリ、BIOS、複数のショートカットキー、複数のマルチメディア再生装置を接続し、
該データ保存メディア中にはOS、該複数のマルチメディア再生装置の駆動プログラム、複数のマルチメディア再生装置のアプリケーションプログラム、装置起動クラスター表を保存し、
該装置起動クラスター表中には該各マルチメディア再生装置の機能属性に応じて各ショートカットキーが対応するマルチメディア再生装置の駆動プログラム、マルチメディア再生装置のアプリケーションプログラム、マルチメディア再生装置を定義し、
本発明の方法は以下のステップを包含し、
(a)操作された各ショートカットキーの状態を探知し、
(b)任意のショートカットキーが操作されたことを探知すると、該コンピュータはシステム起動作業を執行し、
(c)該コンピュータは該データ保存メディア中より該装置起動クラスター表をインストールし、
(d)該装置起動クラスター中に予め定義される装置クラスターの指示に基づき、該操作されたショートカットキーが対応するマルチメディア再生装置の駆動プログラムをインストール及び執行し、
(e)該操作されたショートカットキーが対応するマルチメディア再生装置のアプリケーションプログラムをインストール及び執行し、
(f)該操作されたショートカットキーが対応するマルチメディア再生装置を作動し、該操作されていないショートカットキーが対応する他のマルチメディア再生装置は作動しないことを特徴とするマルチメディア再生システムのクラスター化機能選択を迅速に起動する方法。
【請求項７】
請求項６記載のマルチメディア再生システムのクラスター化機能選択を迅速に起動する方法において、ショートカットキーは音楽光ディスク読取り装置起動のショートカットキーを包含し、該ショートカットキーは該装置起動クラスター表中において予め定義さえる装置クラスターの指示において該コンピュータの音楽光ディスク読取り装置及び音声効果装置に接続する指示を包含することを特徴とする請求項６記載のマルチメディア再生システムのクラスター化機能選択を迅速に起動する方法。
【請求項８】
請求項６記載のマルチメディア再生システムのクラスター化機能選択を迅速に起動する方法において、ショートカットキーはデジタル音楽読取り装置起動のショートカットキーを包含し、該ショートカットキーは該装置起動クラスター表中に予め定義される装置クラスター指示において、該コンピュータのデジタル音楽読取り装置及び音声効果装置に接続する指示を包含することを特徴とするマルチメディア再生システムのクラスター化機能選択を迅速に起動する方法。
【請求項９】
請求項６記載のマルチメディア再生システムのクラスター化機能選択を迅速に起動する方法において、ショートカットキーはAV光ディスク読取り装置起動のショートカットキーを包含し、該ショートカットキーは該装置起動クラスター表中に予め定義される装置クラスター指示において、該コンピュータのAV光ディスク読取り装置、音声効果装置、ディスクプレーに接続する指示を包含することを特徴とするマルチメディア再生システムのクラスター化機能選択を迅速に起動する方法。
【請求項１０】
請求項６記載のマルチメディア再生システムのクラスター化機能選択を迅速に起動する方法において、ショートカットキーはテレビ信号受信装置起動のショートカットキーを包含し、該ショートカットキーは該装置起動クラスター表中に予め定義される装置クラスター指示において、該コンピュータのテレビ信号受信装置、音声効果装置、ディスクプレー、テレビチューナーに接続する指示を包含することを特徴とするマルチメディア再生システムのクラスター化機能選択を迅速に起動する方法。
【請求項１１】
請求項６記載のマルチメディア再生システムのクラスター化機能選択を迅速に起動する方法において、ステップ(c)中においてインストールする装置起動クラスター表は該システムメモリ中のランダムアクセスディスクエリア中にインストールされることを特徴とするマルチメディア再生システムのクラスター化機能選択を迅速に起動する方法。
【発明の詳細な説明】
【技術分野】
【０００１】
本発明は一種のコンピュータによるマルチメディア再生の方法に関する。特に一種のマルチメディア再生システムのクラスター化機能選択を迅速に起動する方法に係る。
【背景技術】
【０００２】
コンピュータ技術の研究開発が進む中、コンピュータはAV装置と結合しマルチメディア再生システムを構成し、オフィス、家庭、商業施設など多くの分野で幅広く応用されるようになっている。
【０００３】
現在のマルチメディア再生システムの大部分の設計は、AV再生装置をコンピュータインターフェースを通してコンピュータシステムに単純に接続するものである。よって、操作者は該マルチメディア再生機能を執行しようとする時には、該コンピュータシステムを通して該マルチメディア再生装置のアプリケーションプログラムを執行しなければならない。さらに、操作者は先ずコンピュータを起動し、該コンピュータはBIOSを起動し、POSTを起動し、周辺設備は探知及び駆動し、作業システムは起動し、システムが設定されなどのすべての手順が完了後、ようやく該マルチメディア再生機能を執行可能となる。
【発明の開示】
【発明が解決しようとする課題】
【０００４】
公知構造には以下の欠点があった。
すなわち、コンピュータを基礎とするマルチメディア再生システムは普通の家電製品のように迅速に操作を開始することができない。
【０００５】
しかし、もし使用者がPCを使用する時も、家電製品を使用するかのように、各アプリケーションプログラム間で切替えを迅速に行うことができれば、PCの付加価値を大きく高めることができる。
【０００６】
また一般にPCユーザーの多くはPCのすべての機能を使用する訳ではなく、通常はPCを利用し音楽を聞く、テレビ或いは映画を観るなどある１つの機能のみを使用するだけである。しかし、普通はコンピュータを起動後、システムはすべてのハードウェアをセットアップする。すなわち、ある特定の機能を使用するだけであるのに、システムがコンピュータのすべてのハードウェアを初期化するのを待たなければ使用することはできないのである。
【０００７】
さらにPCそのものは各種マルチメディア機能、拡張性、統合性を具えるが、使用者がテレビを観る、ラジオ放送或いは音楽を聴くなどのその内の１種の機能だけを使用しようとする時には、コンピュータの起動及び初期化を待つ過程は煩雑で無駄に長い。
【０００８】
本発明は上記構造の問題点を解決したマルチメディア再生システムのクラスター化機能選択を迅速に起動する方法を提供するものである。
【課題を解決するための手段】
【０００９】
上記課題を解決するため、本発明は下記のマルチメディア再生システムのクラスター化機能選択を迅速に起動する方法を提供する。
本発明の制御を通して使用者は執行しようとする指定アプリケーションプログラムに対してのみその対応するハードウェアを初期化し、迅速にマルチメディア再生の目的を達成し、
すなわちそれは、予め設置する装置起動クラスター表によりマルチメディア再生装置の動作を管理し、該装置起動クラスター表により各接続するマルチメディア再生装置の機能属性に応じて各ショートカットキーが対応するマルチメディア再生装置の駆動プログラム、マルチメディア再生装置のアプリケーションプログラム、マルチメディア再生装置を定義し、該クラスター化機能選択を迅速に起動する時には、任意のショートカットキーが操作されたことを探知すると、該コンピュータは該装置起動クラスター中に予め定義される装置クラスターの指示に基づき、該操作されたショートカットキーが対応するマルチメディア再生装置の駆動プログラムをインストール及び執行し、該操作されたショートカットキーが対応するマルチメディア再生装置のアプリケーションプログラムをインストール及び執行し、こうして、該操作されたショートカットキーが対応するマルチメディア再生装置は作動し、操作されていないショートカットキーが対応する他のマルチメディア再生装置は作動しないことを特徴とするマルチメディア再生システムのクラスター化機能選択を迅速に起動する方法である。
【００１０】
請求項１の発明は、主にコンピュータ中にデータ保存メディア、システムメモリ、BIOS、複数のショートカットキー、複数のマルチメディア再生装置を接続し、
該データ保存メディア中にはOS、該複数のマルチメディア再生装置の駆動プログラム、複数のマルチメディア再生装置のアプリケーションプログラム、装置起動クラスター表を保存し、
該装置起動クラスター表中には該各マルチメディア再生装置の機能属性に応じて各ショートカットキーが対応するマルチメディア再生装置の駆動プログラム、マルチメディア再生装置のアプリケーションプログラム、マルチメディア再生装置を定義し、
本発明の方法は以下のステップを包含し、
(a)操作された各ショートカットキーの状態を探知し、
(b)任意のショートカットキーが操作されたことを探知すると、該コンピュータは該装置起動クラスター表中に予め定義される装置クラスターの指示に基づき、該操作されたショートカットキーが対応するマルチメディア再生装置の駆動プログラムをインストール及び執行し、
(c)該操作されたショートカットキーが対応するマルチメディア再生装置のアプリケーションプログラムをインストール及び執行し、
(d)該操作されたショートカットキーが対応するマルチメディア再生装置を作動し、該操作されていないショートカットキーが対応する他のマルチメディア再生装置は作動しないことを特徴とするマルチメディア再生システムのクラスター化機能選択を迅速に起動する方法としている。
請求項２の発明は、請求項１記載のマルチメディア再生システムのクラスター化機能選択を迅速に起動する方法において、ショートカットキーは音楽光ディスク読取り装置起動のショートカットキーを包含し、該ショートカットキーは該装置起動クラスター表中に予め定義される装置クラスター指示において、該コンピュータの音楽光ディスク読取り装置及び音声効果装置に接続する指示を包含することを特徴とするマルチメディア再生システムのクラスター化機能選択を迅速に起動する方法としている。
請求項３の発明は、請求項１記載のマルチメディア再生システムのクラスター化機能選択を迅速に起動する方法において、ショートカットキーはデジタル音楽読取り装置起動のショートカットキーを包含し、該ショートカットキーは該装置起動クラスター表中に予め定義される装置クラスター指示において、該コンピュータのデジタル音楽読取り装置及び音声効果装置に接続する指示を包含することを特徴とするマルチメディア再生システムのクラスター化機能選択を迅速に起動する方法としている。
請求項４の発明は、請求項１記載のマルチメディア再生システムのクラスター化機能選択を迅速に起動する方法において、ショートカットキーはAV光ディスク読取り装置起動のショートカットキーを包含し、該ショートカットキーは該装置起動クラスター表中に予め定義される装置クラスター指示において、該コンピュータのAV光ディスク読取り装置、音声効果装置、ディスクプレーに接続する指示を包含することを特徴とするマルチメディア再生システムのクラスター化機能選択を迅速に起動する方法としている。
請求項５の発明は、請求項１記載のマルチメディア再生システムのクラスター化機能選択を迅速に起動する方法において、ショートカットキーはテレビ信号受信装置起動のショートカットキーを包含し、該ショートカットキーは該装置起動クラスター表中に予め定義される装置クラスター指示において、該コンピュータのテレビ信号受信装置、音声効果装置、ディスクプレー、テレビチューナーに接続する指示を包含することを特徴とするマルチメディア再生システムのクラスター化機能選択を迅速に起動する方法としている。
請求項６の発明は、主にコンピュータ中にはデータ保存メディア、システムメモリ、BIOS、複数のショートカットキー、複数のマルチメディア再生装置を接続し、
該データ保存メディア中にはOS、該複数のマルチメディア再生装置の駆動プログラム、複数のマルチメディア再生装置のアプリケーションプログラム、装置起動クラスター表を保存し、
該装置起動クラスター表中には該各マルチメディア再生装置の機能属性に応じて各ショートカットキーが対応するマルチメディア再生装置の駆動プログラム、マルチメディア再生装置のアプリケーションプログラム、マルチメディア再生装置を定義し、
本発明の方法は以下のステップを包含し、
(a)操作された各ショートカットキーの状態を探知し、
(b)任意のショートカットキーが操作されたことを探知すると、該コンピュータはシステム起動作業を執行し、
(c)該コンピュータは該データ保存メディア中より該装置起動クラスター表をインストールし、
(d)該装置起動クラスター中に予め定義される装置クラスターの指示に基づき、該操作されたショートカットキーが対応するマルチメディア再生装置の駆動プログラムをインストール及び執行し、
(e)該操作されたショートカットキーが対応するマルチメディア再生装置のアプリケーションプログラムをインストール及び執行し、
(f)該操作されたショートカットキーが対応するマルチメディア再生装置を作動し、該操作されていないショートカットキーが対応する他のマルチメディア再生装置は作動しないことを特徴とするマルチメディア再生システムのクラスター化機能選択を迅速に起動する方法としている。
請求項７の発明は、請求項６記載のマルチメディア再生システムのクラスター化機能選択を迅速に起動する方法において、ショートカットキーは音楽光ディスク読取り装置起動のショートカットキーを包含し、該ショートカットキーは該装置起動クラスター表中において予め定義さえる装置クラスターの指示において該コンピュータの音楽光ディスク読取り装置及び音声効果装置に接続する指示を包含することを特徴とする請求項６記載のマルチメディア再生システムのクラスター化機能選択を迅速に起動する方法としている。
請求項８の発明は、請求項６記載のマルチメディア再生システムのクラスター化機能選択を迅速に起動する方法において、ショートカットキーはデジタル音楽読取り装置起動のショートカットキーを包含し、該ショートカットキーは該装置起動クラスター表中に予め定義される装置クラスター指示において、該コンピュータのデジタル音楽読取り装置及び音声効果装置に接続する指示を包含することを特徴とするマルチメディア再生システムのクラスター化機能選択を迅速に起動する方法としている。
請求項９の発明は、請求項６記載のマルチメディア再生システムのクラスター化機能選択を迅速に起動する方法において、ショートカットキーはAV光ディスク読取り装置起動のショートカットキーを包含し、該ショートカットキーは該装置起動クラスター表中に予め定義される装置クラスター指示において、該コンピュータのAV光ディスク読取り装置、音声効果装置、ディスクプレーに接続する指示を包含することを特徴とするマルチメディア再生システムのクラスター化機能選択を迅速に起動する方法としている。
請求項１０の発明は、請求項６記載のマルチメディア再生システムのクラスター化機能選択を迅速に起動する方法において、ショートカットキーはテレビ信号受信装置起動のショートカットキーを包含し、該ショートカットキーは該装置起動クラスター表中に予め定義される装置クラスター指示において、該コンピュータのテレビ信号受信装置、音声効果装置、ディスクプレー、テレビチューナーに接続する指示を包含することを特徴とするマルチメディア再生システムのクラスター化機能選択を迅速に起動する方法としている。
請求項１１の発明は、請求項６記載のマルチメディア再生システムのクラスター化機能選択を迅速に起動する方法において、ステップ(c)中においてインストールする装置起動クラスター表は該システムメモリ中のランダムアクセスディスクエリア中にインストールされることを特徴とするマルチメディア再生システムのクラスター化機能選択を迅速に起動する方法としている。
【発明の効果】
【００１１】
本発明の制御により、多種の機能選択を具えたマルチメディア再生システム(音楽光ディスク、AV光ディスク、デジタル音楽、テレビなど)中において、異なる形態のマルチメディア再生の要求に応じて、起動クラスターを予め設定する。使用者がマルチメディア再生機能を選択し起動すると、コンピュータは該クラスターに基づき必要な装置を起動する。よって、使用者は執行しようとする指定のアプリケーションプログラムに対してだけ、それが対応するハードディスクを初期化するため、不必要な装置の起動を行うことがなく、迅速なマルチメディア再生の目的を効果的に達成することができる。また操作者は予め設定されたキーを押すだけ、マルチメディア再生機能を迅速に起動可能であるため、起動に必要な時間を省くことができる。
【発明を実施するための最良の形態】
【００１２】
図１に示すように、本発明のコンピュータ１００はCPU１１、第一バスブリッジ１２、第二バスブリッジ１３を包含する。
該CPU１１はシステムバスにより該第一バスブリッジ１２に接続し、該第一バスブリッジ１２はシステムメモリ１４を接続し、ディスプレーインターフェース１５０によりディスプレー１５を接続する。
【００１３】
該第二バスブリッジ１３はBIOSメモリ１６を接続する。該BIOSメモリ１６中にはコンピュータの起動時に必要とするBIOSプログラム１６１及びPOST１６２を保存する。
【００１４】
該第二バスブリッジ１３はバスによりハードディスクインターフェース１７０に接続し、該ハードディスクインターフェース１７０によりハードディスク１７を接続する。該ハードディスク１７は本発明中ではデータ保存メディアである。
【００１５】
次に図２に示すように、図１中のハードディスク１７中にはOS１７１、１組のマルチメディア再生装置の駆動プログラム１７２、１組のマルチメディア再生装置アプリケーションプログラム１７３、１組の装置起動クラスター表１７４をインストールする。
【００１６】
本発明の実施例において、該マルチメディア再生装置の駆動プログラム１７２中には音楽光ディスク装置の駆動プログラム１７２a、デジタル音楽装置の駆動プログラム１７２b、AV光ディスクの駆動プログラム１７２c、テレビ装置の駆動プログラム１７２dを包含する。該マルチメディア再生装置のアプリケーションプログラム１７３中には音楽光ディスク装置のアプリケーションプログラム１７３a、デジタル音楽装置のアプリケーションプログラム１７３b、AV光ディスクのアプリケーションプログラム１７３c、テレビ再生のアプリケーションプログラム１７３dを包含する。該ハードディスク１７中には音声効果装置の駆動プログラム１７５及びディスプレーの駆動プログラム１７６を包含する。
【００１７】
該コンピュータ１００の第二バスブリッジ１３は該バス１３０によりショートカットキー探知インターフェース回路２０を接続し、該ショートカットキー探知インターフェース回路２０はショートカットキー組２を接続する。該ショートカットキー組２は数個のショートカットキー２１、２２、２３、２４を包含し、使用者の操作により音楽光ディスク、デジタル音楽、AV光ディスク、テレビの再生機能を選択することができる。
【００１８】
該ショートカットキー２１、２２、２３、２４は予め設定するAV再生装置作動の制御キーとして定義することができる。該ショートカットキー２１、２２、２３、２４は対応するAV再生装置パネル或いはコンピュータの起動スイッチに設定することができる。また該コンピュータ１００のキーボード上に予め設定する特定のキーに設定することもでき、該特定のキーはキーボードコントローラーのデコードを経て該CPU１１により識別される。
【００１９】
さらに図３に示すように、該コンピュータ１００の第二バスブリッジ１３は該バス１３０によりマルチメディア再生装置３を接続する。本発明実施例においては該マルチメディア再生装置３は音楽光ディスク読取り装置３a、デジタル音楽読取り装置３b、AV光ディスク読取り装置３c、テレビ信号受信装置３dを包含し、それぞれ音楽光ディスクインターフェース回路３０a、デジタル音楽インターフェース回路３０b、AV光ディスクインターフェース回路３０c、テレビインターフェース回路３０dにより該バス１３０に接続する。
【００２０】
該コンピュータ１００の第二バスブリッジ１３は該バス１３０により音声効果インターフェース回路４０を接続し、該音声効果インターフェース回路４０は音声効果装置４を接続する。該コンピュータ１００の第二バスブリッジ１３は該バス１３０によりテレビチューナー５を接続する。
【００２１】
続いて図４に示すように、図１中の装置起動クラスター表１７４中には各マルチメディア再生装置の機能属性に応じて各ショートカットキーが対応するマルチメディア再生装置の駆動プログラム、マルチメディア再生装置のアプリケーションプログラム、マルチメディア再生装置を定義する。該装置起動クラスター表１７４中にはショートカットキー欄、ショートカットキー番号欄、ショートカットキー対応駆動プログラム欄、ショートカットキー対応アプリケーションプログラム欄、ショートカットキー対応装置欄を包含する。各ショートカットキー２１、２２、２３、２４はクラスター化の方式により、１個或いは１個以上のショートカットキー対応駆動プログラム、ショートカットキー対応アプリケーションプログラム、ショートカットキー対応マルチメディア再生装置に対応する。
【００２２】
次に図５に示すように、ある１個のショートカットキーが押されると、コンピュータは該ショートカットキーが対応する予め設定された１個或いは１個以上のマルチメディア再生装置を作動させる。
【００２３】
図６に示す本発明の第二実施例は図１に示す回路構成とほぼ同様である。その相違点は、該ショートカットキー探知インターフェース回路２０が受信ユニット２０aを接続する点である。該受信ユニット２０aはリモコンユニット２aが発射する無線信号を受信し、該各ショートカットキー２１、２２、２３、２４は該リモコンユニット２aに設定される。操作者がある１個の該各ショートカットキー２１、２２、２３、２４を押すと、該リモコンユニット２aは無線信号を発射し、該受信ユニット２０aが受信する。該ショートカットキー探知インターフェース回路２０により受信された信号を該バス１３０、該第一バスブリッジ１３、該第一バスブリッジ１２を通して該CPU１１に伝送する。
【００２４】
さらに図７に示すように、ある１個の該各ショートカットキー２１、２２、２３、２４が使用者により押されると(ステップ１００)、該コンピュータ１００は押されたショートカットキー状態を探知し、システムの起動作業を執行する(ステップ１０２)。該コンピュータ１００の起動作業において、該コンピュータ１００は先ずBIOSメモリ１６によりBIOSプログラム１６１とPOST１６２をインストール及び執行し、該ハードディスク１７中にOS１７１をインストールし執行する。続いて、該コンピュータは該ハードディスク１７中に装置起動クラスター表１７４をインストールする。該インストールされた装置起動クラスター表１７４は該システムメモリ１４中のランダムアクセスドディスクエリア１４１中にインストールすることもできる。
【００２５】
該コンピュータ１００が上記の起動手順を完了後、該コンピュータ１００は押されたショートカットキーに基づき、異なるマルチメディア再生操作を行う。使用者が１つめのショートカットキー２１を押すと(ステップ１０４a)、該コンピュータ１００は該装置起動クラスター表１７４に予め定義される装置クラスターの指示に基づき、該ハードディスク１７中より音楽光ディスク装置の駆動プログラム１７２a及び音声効果装置駆動プログラム１７５をインストール及び執行する(ステップ１０５a)。続いて、音楽光ディスク再生アプリケーションプログラム１７３aをインストール及び執行する(ステップ１０６a)。こうして該音楽光ディスク読取り装置３a及び該音声効果装置４は作動し、該音楽光ディスク読取り装置３aが読み取った音楽データの再生を開始する(ステップ１０７a)。
【００２６】
使用者が２つめのショートカットキー２２を押すと(ステップ１０４b)、該コンピュータ１００は該装置起動クラスター表１７４に予め定義される装置クラスターの指示に基づき、該ハードディスク１７中よりデジタル音楽装置の駆動プログラム１７２b及び音声効果装置駆動プログラム１７５をインストール及び執行する(ステップ１０５b)。続いて、デジタル音楽再生アプリケーションプログラム１７３bをインストール及び執行する(ステップ１０６b)。こうして該デジタル音楽読取り装置３b及び該音声効果装置４は作動し、該デジタル音楽読取り装置３bが読み取ったデジタル音楽データの再生を開始する(ステップ１０７b)。
【００２７】
さらに使用者が３つめのショートカットキー２３を押すと(ステップ１０４c)、該コンピュータ１００は該装置起動クラスター表１７４に予め定義される装置クラスターの指示に基づき、該ハードディスク１７中よりAV光ディスク駆動プログラム１７２c、音声効果装置駆動プログラム１７５、ディスプレー駆動プログラム１７６をインストール及び執行する(ステップ１０５c)。続いて、AV光ディスクアプリケーションプログラム１７３cをインストール及び執行する(ステップ１０６c)。こうして該AV光ディスク読取り装置３c及び該音声効果装置４、該ディスプレー１５は作動し、該AV光ディスク読取り装置３cが読み取ったデジタル画像及び音声データの再生を開始する(ステップ１０７c)。
【００２８】
また使用者が４つめのショートカットキー２４を押すと(ステップ１０４d)、該コンピュータ１００は該装置起動クラスター表１７４に予め定義される装置クラスターの指示に基づき、該ハードディスク１７中よりテレビ駆動プログラム１７２d、音声効果装置駆動プログラム１７５、ディスプレー駆動プログラム１７６をインストール及び執行する(ステップ１０５d)。続いて、テレビアプリケーションプログラム１７３ｄをインストール及び執行する(ステップ１０６d)。こうして該テレビ信号受信装置３d及び該音声効果装置４、該ディスプレー１５は作動し、これに該テレビチューナー５を対応させ、該テレビ信号受信装置３dが受信したテレビの画像及び音声データの再生を開始する(ステップ１０７d)。
【図面の簡単な説明】
【００２９】
【図１】本発明マルチメディア再生システムのクラスター化機能選択を迅速に起動する方法の第一実施例のシステム機能ブロックチャートである。
【図２】図１中のハードディスクの内容指示図である。
【図３】図１中のマルチメディア再生装置の装置内容指示図である。
【図４】図１中の装置起動クラスター表のクラスター内容指示図である。
【図５】本発明の各ショートカットキーが対応するクラスター表の指示図である。
【図６】本発明マルチメディア再生システムのクラスター化機能選択を迅速に起動する方法の第二実施例のシステム機能ブロックチャートである。
【図７】本発明の実施例の制御フローチャートである。
【符号の説明】
【００３０】
１００  コンピュータ
１１  CPU
１２  第一バスブリッジ
１３  第二バスブリッジ
１３０  バス
１４  システムメモリ
１４１  ランダムアクセスハードディスクエリア
１５  ディスプレー
１５０  ディスプレーインターフェース
１６  BIOSメモリ
１６１  BIOSプログラム
１６２  POST
１７  ハードディスク
１７０  ハードディスクインターフェース
１７１  OS
１７２  マルチメディア再生装置の駆動プログラム
１７２a  音楽光ディスク装置の駆動プログラム
１７２b  デジタル音楽装置の駆動プログラム
１７２c  AV光ディスクの駆動プログラム
１７２d  テレビ装置の駆動プログラム
１７３  マルチメディア再生装置のアプリケーションプログラム
１７３a  音楽光ディスク装置のアプリケーションプログラム
１７３b  デジタル音楽装置のアプリケーションプログラム
１７３c  AV光ディスクのアプリケーションプログラム
１７３d  テレビ再生のアプリケーションプログラム
１７４  装置起動クラスター表
１７５  音声効果装置の駆動プログラム
１７６  ディスプレーの駆動プログラム
２  ショートカットキー組
２a  リモコンユニット
２０  ショートカットキー探知インターフェース回路
２０a  受信ユニット
２１  ショートカットキー
２２  ショートカットキー
２３  ショートカットキー
２４  ショートカットキー
３  マルチメディア再生装置
３a  音楽光ディスク読取り装置
３０a  音楽光ディスクインターフェース回路
３b  デジタル音楽読取り装置
３０b  デジタル音楽インターフェース回路
３c  AV光ディスク読取り装置
３０c   AV光ディスクインターフェース回路
３d  テレビ信号受信装置
３０d  テレビインターフェース回路
４  音声効果装置
４０  音声効果インターフェース回路
５  テレビチューナー
【図１】
2007035013.tif 000003
【図２】
2007035013.tif 000004
【図３】
2007035013.tif 000005
【図４】
2007035013.tif 000006
【図５】
2007035013.tif 000007
【図６】
2007035013.tif 000008
【図７】
2007035013.tif 000009